(57)【要約】【課題】書き換え可能な複数の記録層を有する光ディスクに対して、高品質の記録を安定して行う。【解決手段】書き換え可能な２つの記録層Ｌ0、Ｌ1を有する片面２層ディスクにおいて、光束の入射面に遠い方に位置する記録層Ｌ1にユーザデータを記録する際に（ステップ４０５）、光ディスクの特性に応じて、記録層Ｌ0の記録状態を変更した（ステップ４１１〜４２５）後に、対象記録層に情報を記録する（ステップ４２７）。この場合に、記録層Ｌ1にユーザデータを記録する前に、記録層Ｌ0の記録状態が光ディスクの特性に適切な状態とされるため、記録層Ｌ1におけるユーザデータの記録品質の低下を抑制することが可能となる。【選択図】図８
2006313591.tif 000002
【特許請求の範囲】
【請求項１】
光束を一方向から照射して書き換え可能な複数の記録層を有する光ディスクに情報を記録する記録方法であって、
前記複数の記録層のうち前記光束の入射面に最も近い記録層を除く記録層に情報を記録する際に、
前記情報の記録に先立って、前記情報が記録される対象記録層よりも入射面側に位置する記録層における前記光束が透過する部分領域を、未記録状態及び既記録状態のいずれかの前記光ディスクの特性に応じた適切な記録状態とする工程と；
前記対象記録層に前記情報を記録する工程と；を含む記録方法。
【請求項２】
前記光ディスクは、前記部分領域に未記録部が存在すると、前記対象記録層における記録品質が低下する特性を有し、
前記適切な記録状態とする工程では、前記部分領域の全てを既記録状態とすることを特徴とする請求項１に記載の記録方法。
【請求項３】
前記適切な記録状態とする工程では、前記部分領域に未記録部が存在すると、該未記録部にダミーデータを記録することを特徴とする請求項２に記載の記録方法。
【請求項４】
前記光ディスクは、前記部分領域に既記録部が存在すると、前記対象記録層における記録品質が低下する特性を有し、
前記適切な記録状態とする工程では、前記部分領域の全てを未記録状態とすることを特徴とする請求項１に記載の記録方法。
【請求項５】
前記適切な記録状態とする工程では、前記部分領域に既記録部が存在すると、該既記録部に記録されているデータを消去することを特徴とする請求項４に記載の記録方法。
【請求項６】
前記適切な記録状態とする工程では、前記データの消去に先立って、前記データを退避させることを特徴とする請求項５に記載の記録方法。
【請求項７】
前記情報を記録する工程に続いて、前記退避させたデータを前記部分領域に再記録する工程を、更に含むことを特徴とする請求項６に記載の記録方法。
【請求項８】
前記光ディスクの管理情報領域には、予め設定されているブロック毎に、該ブロックの記録状態が１ビットの情報で格納されているビットマップ情報が記録されており、
前記適切な記録状態とする工程では、前記ビットマップ情報を参照して、前記部分領域を適切な記録状態とすることを特徴とする請求項１〜７のいずれか一項に記載の記録方法。
【請求項９】
前記対象記録層よりも前記入射面側に複数の記録層が存在し、
前記適切な記録状態とする工程では、前記入射面に近い記録層から順に適切な記録状態とすることを特徴とする請求項１〜８のいずれか一項に記載の記録方法。
【請求項１０】
光束を一方向から照射して書き換え可能な複数の記録層を有する光ディスクに対する情報の記録が可能な光ディスク装置であって、
光源と；
前記光源から出射された光束を前記光ディスクに向けて集光する対物レンズを含み、前記光ディスクからの戻り光束を受光位置に導く光学系と；
前記受光位置に配置された光検出器と；
前記対物レンズを光軸方向に駆動する駆動系と；
前記光源の駆動信号を生成する信号生成回路と；
前記複数の記録層のうち情報が記録される対象記録層よりも入射面側に位置する記録層における前記光束が透過する部分領域を、未記録状態及び既記録状態のいずれかの前記光ディスクの特性に応じた適切な記録状態とする処理装置と；を備える光ディスク装置。
【請求項１１】
前記光ディスクは、前記部分領域に未記録部が存在すると、前記対象記録層における記録品質が低下する特性を有し、
前記処理装置は、前記部分領域に未記録部が存在すると、該未記録部にダミーデータを記録することを特徴とする請求項１０に記載の光ディスク装置。
【請求項１２】
前記光ディスクは、前記部分領域に既記録部が存在すると、前記対象記録層における記録品質が低下する特性を有し、
前記処理装置は、前記部分領域に既記録部が存在すると、該既記録部に記録されているデータを消去することを特徴とする請求項１０に記載の光ディスク装置。
【請求項１３】
前記処理装置は、更に、前記データを消去する前に、該データを退避させることを特徴とする請求項１２に記載の光ディスク装置。
【請求項１４】
前記処理装置は、更に、前記対象記録層に前記情報を記録した後、前記退避させたデータを前記部分領域に再記録することを特徴とする請求項１３に記載の光ディスク装置。
【請求項１５】
前記光ディスクの管理情報領域には、予め設定されているブロック毎に、該ブロックの記録状態が１ビットの情報で格納されているビットマップ情報が記録されており、
前記処理装置は、前記ビットマップ情報を参照して、前記部分領域を適切な記録状態とすることを特徴とする請求項１０〜１４のいずれか一項に記載の光ディスク装置。
【請求項１６】
前記処理装置は、前記対象記録層よりも前記入射面側に複数の記録層が存在する場合に、前記入射面に近い記録層から順に適切な記録状態とすることを特徴とする請求項１０〜１５のいずれか一項に記載の光ディスク装置。
【請求項１７】
光束を一方向から照射して書き換え可能な複数の記録層を有する光ディスクに対する情報の記録が可能な光ディスク装置に用いられるプログラムであって、
前記情報が記録される対象記録層よりも入射面側に位置する記録層における前記光束が透過する部分領域を、未記録状態及び既記録状態のいずれかの前記光ディスクの特性に応じた適切な記録状態とする手順と；
前記対象記録層に前記情報を記録する手順と；を前記光ディスク装置の制御用コンピュータに実行させるプログラム。
【請求項１８】
請求項１７に記載のプログラムが記録されたコンピュータ読み取り可能な記録媒体。
【発明の詳細な説明】
【技術分野】
【０００１】
本発明は、記録方法、光ディスク装置、プログラム及び記録媒体に係り、更に詳しくは、書き換え可能な複数の記録層を有する光ディスクに情報を記録する方法、書き換え可能な複数の記録層を有する光ディスクに対して情報の記録が可能な光ディスク装置、該光ディスク装置に用いられるプログラム及び該プログラムが記録された記録媒体に関する。
【背景技術】
【０００２】
近年、デジタル技術の進歩及びデータ圧縮技術の向上に伴い、コンピュータプログラム、音楽情報、及び映像情報（以下「コンテンツ」ともいう）などを記録するための情報記録媒体として、ＣＤ（compact disc）やＤＶＤ（digital versatile disc）などの光ディスクが注目されるようになり、その低価格化とともに、光ディスクに対して情報の記録あるいは再生を行うための光ディスク装置が普及するようになった。
【０００３】
記録内容の書き換えが可能な光ディスクとしては、ＣＤ−ＲＷ（ＣＤ-rewritable）、ＤＶＤ−ＲＡＭ、ＤＶＤ−ＲＷ（ＤＶＤ−rewritable）、及びＤＶＤ＋ＲＷ（ＤＶＤ＋rewritable）などが市販されている。
【０００４】
ところで、コンテンツの情報量は、年々増加する傾向にあり、１枚の光ディスクに記録できる情報量、すなわち記録容量の更なる増加が期待されている。そこで、複数の記録層を有する書き換え可能な光ディスクの開発が精力的に行われている。しかしながら、記録層が多層化されると、記録及び再生の際に、照射される光束の入射側から遠い方の記録層は近い方の記録層の記録状態の影響を少なからず受けるという問題がある（例えば、特許文献１参照）。この影響は、光ディスクの材料特性などに依存し、必ずしも単純ではない。複数の記録層を有する書き換え可能な光ディスクは、現在市販されていないが、製品化のためにクリアすべき課題の一つである。
【０００５】
【特許文献１】特開２００４−３２７０３８号公報
【発明の開示】
【発明が解決しようとする課題】
【０００６】
本発明は、かかる事情の下になされたもので、その第１の目的は、書き換え可能な複数の記録層を有する光ディスクに対して、高品質の記録を安定して行うことができる記録方法を提供することにある。
【０００７】
また、本発明の第２の目的は、書き換え可能な複数の記録層を有する光ディスクに対して、高品質の記録を安定して行うことができる光ディスク装置を提供することにある。
【０００８】
また、本発明の第３の目的は、光ディスク装置の制御用コンピュータにて実行され、書き換え可能な複数の記録層を有する光ディスクに対して、高品質の記録を安定して行うことを可能とするプログラム及びそのプログラムが記録された記録媒体を提供することにある。
【課題を解決するための手段】
【０００９】
請求項１に記載の発明は、光束を一方向から照射して書き換え可能な複数の記録層を有する光ディスクに情報を記録する記録方法であって、前記複数の記録層のうち前記光束の入射面に最も近い記録層を除く記録層に情報を記録する際に、前記情報の記録に先立って、前記情報が記録される対象記録層よりも入射面側に位置する記録層における前記光束が透過する部分領域を、未記録状態及び既記録状態のいずれかの前記光ディスクの特性に応じた適切な記録状態とする工程と；前記対象記録層に前記情報を記録する工程と；を含む記録方法である。
【００１０】
これによれば、書き換え可能な片面多層ディスクにおいて、光束の入射面に最も近い記録層を除く記録層に情報を記録する場合には、情報の記録に先立って、対象記録層よりも入射面側に位置する記録層における光束が透過する部分領域が、光ディスクの特性に応じて未記録状態及び既記録状態のいずれかの適切な記録状態とされる。すなわち、対象記録層に情報を記録する前に、部分領域の記録状態を光ディスクの特性に適切な状態とすることができるため、対象記録層における情報の記録品質の低下を抑制することが可能となる。従って、書き換え可能な複数の記録層を有する光ディスクに対して、高品質の記録を安定して行うことができる。
【００１１】
この場合において、請求項２に記載の記録方法の如く、前記光ディスクが、前記部分領域に未記録部が存在すると前記対象記録層における記録品質が低下する特性を有する場合に、前記適切な記録状態とする工程では、前記部分領域の全てを既記録状態とすることとすることができる。
【００１２】
この場合において、請求項３に記載の記録方法の如く、前記適切な記録状態とする工程では、前記部分領域に未記録部が存在すると、該未記録部にダミーデータを記録することとすることができる。
【００１３】
上記請求項１に記載の記録方法において、請求項４に記載の記録方法の如く、前記光ディスクが、前記部分領域に既記録部が存在すると前記対象記録層における記録品質が低下する特性を有する場合に、前記適切な記録状態とする工程では、前記部分領域の全てを未記録状態とすることとすることができる。
【００１４】
この場合において、請求項５に記載の記録方法の如く、前記適切な記録状態とする工程では、前記部分領域に既記録部が存在すると、該既記録部に記録されているデータを消去することとすることができる。
【００１５】
この場合において、請求項６に記載の記録方法の如く、前記適切な記録状態とする工程では、前記データの消去に先立って、前記データを退避させることとすることができる。
【００１６】
この場合において、請求項７に記載の記録方法の如く、前記情報を記録する工程に続いて、前記退避させたデータを前記部分領域に再記録する工程を、更に含むこととすることができる。
【００１７】
上記請求項１〜７に記載の各記録方法において、請求項８に記載の記録方法の如く、前記光ディスクの管理情報領域には、予め設定されているブロック毎に、該ブロックの記録状態が１ビットの情報で格納されているビットマップ情報が記録されており、前記適切な記録状態とする工程では、前記ビットマップ情報を参照して、前記部分領域を適切な記録状態とすることとすることができる。
【００１８】
上記請求項１〜８に記載の各記録方法において、請求項９に記載の記録方法の如く、前記対象記録層よりも前記入射面側に複数の記録層が存在し、前記適切な記録状態とする工程では、前記入射面に近い記録層から順に適切な記録状態とすることとすることができる。
【００１９】
請求項１０に記載の発明は、光束を一方向から照射して書き換え可能な複数の記録層を有する光ディスクに対する情報の記録が可能な光ディスク装置であって、光源と；前記光源から出射された光束を前記光ディスクに向けて集光する対物レンズを含み、前記光ディスクからの戻り光束を受光位置に導く光学系と；前記受光位置に配置された光検出器と；前記対物レンズを光軸方向に駆動する駆動系と；前記光源の駆動信号を生成する信号生成回路と；前記複数の記録層のうち情報が記録される対象記録層よりも入射面側に位置する記録層における前記光束が透過する部分領域を、未記録状態及び既記録状態のいずれかの前記光ディスクの特性に応じた適切な記録状態とする処理装置と；を備える光ディスク装置である。
【００２０】
これによれば、複数の記録層のうち光束の入射面に最も近い記録層を除く記録層が対象記録層となるときには、処理装置により、光ディスクの特性に応じて部分領域が未記録状態及び既記録状態のいずれかの適切な記録状態とされる。すなわち、対象記録層に情報を記録する前に、部分領域の記録状態を光ディスクの特性に適切な状態とすることができるため、対象記録層における情報の記録品質の低下を抑制することが可能となる。従って、書き換え可能な複数の記録層を有する光ディスクに対して、高品質の記録を安定して行うことができる。
【００２１】
この場合において、請求項１１に記載の光ディスク装置の如く、前記光ディスクは、前記部分領域に未記録部が存在すると、前記対象記録層における記録品質が低下する特性を有し、前記処理装置は、前記部分領域に未記録部が存在すると、該未記録部にダミーデータを記録することとすることができる。
【００２２】
上記請求項１０に記載の光ディスク装置において、請求項１２に記載の光ディスク装置の如く、前記光ディスクは、前記部分領域に既記録部が存在すると、前記対象記録層における記録品質が低下する特性を有し、前記処理装置は、前記部分領域に既記録部が存在すると、該既記録部に記録されているデータを消去することとすることができる。
【００２３】
この場合において、請求項１３に記載の光ディスク装置の如く、前記処理装置は、更に、前記データを消去する前に、該データを退避させることとすることができる。
【００２４】
この場合において、請求項１４に記載の光ディスク装置の如く、前記処理装置は、更に、前記対象記録層に前記情報を記録した後、前記退避させたデータを前記部分領域に再記録することとすることができる。
【００２５】
上記請求項１０〜１４に記載の各光ディスク装置において、請求項１５に記載の光ディスク装置の如く、前記光ディスクの管理情報領域には、予め設定されているブロック毎に、該ブロックの記録状態が１ビットの情報で格納されているビットマップ情報が記録されており、前記処理装置は、前記ビットマップ情報を参照して、前記部分領域を適切な記録状態とすることとすることができる。
【００２６】
上記請求項１０〜１５に記載の各光ディスク装置において、請求項１６に記載の光ディスク装置の如く、前記処理装置は、前記対象記録層よりも前記入射面側に複数の記録層が存在する場合に、前記入射面に近い記録層から順に適切な記録状態とすることとすることができる。
【００２７】
請求項１７に記載の発明は、光束を一方向から照射して書き換え可能な複数の記録層を有する光ディスクに対する情報の記録が可能な光ディスク装置に用いられるプログラムであって、前記情報が記録される対象記録層よりも入射面側に位置する記録層における前記光束が透過する部分領域を、未記録状態及び既記録状態のいずれかの前記光ディスクの特性に応じた適切な記録状態とする手順と；前記対象記録層に前記情報を記録する手順と；を前記光ディスク装置の制御用コンピュータに実行させるプログラムである。
【００２８】
これによれば、本発明のプログラムが所定のメモリにロードされ、その先頭アドレスがプログラムカウンタにセットされると、光ディスク装置の制御用コンピュータは、情報が記録される対象記録層よりも入射面側に位置する記録層における光束が透過する部分領域を、未記録状態及び既記録状態のいずれかの光ディスクの特性に応じた適切な記録状態とし、対象記録層に情報を記録する。すなわち、本発明のプログラムによれば、光ディスク装置の制御用コンピュータに請求項１に記載の発明に係る記録方法を実行させることができ、これにより、書き換え可能な複数の記録層を有する光ディスクに対して、高品質の記録を安定して行うことが可能となる。
【００２９】
請求項１８に記載の発明は、請求項１７に記載のプログラムが記録されたコンピュータ読み取り可能な記録媒体である。
【００３０】
これによれば、請求項１７に記載のプログラムが記録されているために、コンピュータに実行させることにより、書き換え可能な複数の記録層を有する光ディスクに対して、高品質の記録を安定して行うことが可能となる。
【発明を実施するための最良の形態】
【００３１】
以下、本発明の一実施形態を図１〜図１０（Ｃ）に基づいて説明する。図１には、本発明の一実施形態に係る光ディスク装置２０の概略構成が示されている。
【００３２】
この図１に示される光ディスク装置２０は、光ディスク１５を回転駆動するためのスピンドルモータ２２、光ピックアップ装置２３、該光ピックアップ装置２３をスレッジ方向に駆動するためのシークモータ２１、レーザ制御回路２４、エンコーダ２５、駆動制御回路２６、再生信号処理回路２８、バッファＲＡＭ３４、バッファマネージャ３７、インターフェース３８、フラッシュメモリ３９、ＣＰＵ４０及びＲＡＭ４１などを備えている。なお、図１における矢印は、代表的な信号や情報の流れを示すものであり、各ブロックの接続関係の全てを表すものではない。また、本実施形態では、光ディスク装置２０は複数の記録層を有する、いわゆる多層ディスクに対応しているものとする。
【００３３】
前記光ディスク１５は、一例として図２に示されるように、光束の入射側から順に、基板Ｍ0、記録層Ｌ0、中間層ＭＬ、記録層Ｌ1、基板Ｍ1を有している。また、記録層Ｌ0と中間層ＭＬとの間には金や誘電体などで形成された半透明膜ＭＢ0があり、記録層Ｌ1と基板Ｍ1との間にはアルミニウムなどで形成された反射膜ＭＢ1がある。中間層ＭＬには、照射される光束に対して透過率が高く、基板の屈折率に近い屈折率を有する紫外線硬化型の樹脂材料が用いられている。記録層Ｌ0及び記録層Ｌ1は、いずれも記録内容の書き換えが可能な記録層である。すなわち、光ディスク１５は、光束が一方向から照射され、書き換え可能な片面２層ディスクである。なお、各記録層にはスパイラル状又は同心円状の案内用の溝を有するトラックが、それぞれ形成されている。そして、光ディスク１５は、記録層Ｌ0が記録層Ｌ1よりも光ピックアップ装置２３に近くなるように光ディスク装置２０にセットされる。そこで、光ディスク１５に入射した光束の一部は半透明膜ＭＢ0で反射され、残りは半透明膜ＭＢ0を透過する。そして、半透明膜ＭＢ0を透過した光束は反射膜ＭＢ1で反射される。
【００３４】
前記光ピックアップ装置２３は、光ディスク１５の２つの記録層のうちアクセス対象の記録層（以下「対象記録層」と略述する）にレーザ光を集光するとともに、光ディスク１５からの反射光を受光するための装置である。この光ピックアップ装置２３は、一例として図３に示されるように、光源ユニット５１、カップリングレンズ５２、偏光ビームスプリッタ５４、１／４波長板５５、対物レンズ６０、検出レンズ５８、光検出器としての受光器ＰＤ、及び対物レンズ６０を駆動するための駆動系ＡＣなどを備えている。
【００３５】
上記光源ユニット５１は、光ディスク１５に対応する波長のレーザ光を発光する光源としての半導体レーザＬＤを含んで構成されている。なお、本実施形態では、光源ユニット５１から出射されるレーザ光の最大強度出射方向を＋Ｘ方向とする。また、一例として光源ユニット５１からは偏光ビームスプリッタ５４の入射面に平行な偏光（Ｐ偏光）の光束が出射されるものとする。
【００３６】
この光源ユニット５１の＋Ｘ側には、前記カップリングレンズ５２が配置され、光源ユニット５１から出射された光束を略平行光とする。
【００３７】
前記偏光ビームスプリッタ５４は、カップリングレンズ５２の＋Ｘ側に配置されている。この偏光ビームスプリッタ５４は、入射する光束の偏光状態に応じてその反射率が異なっている。ここでは、偏光ビームスプリッタ５４は、一例としてＰ偏光に対する反射率が小さく、Ｓ偏光に対する反射率が大きくなるように設定されている。すなわち、光源ユニット５１から出射された光束の大部分は、偏光ビームスプリッタ５４を透過することができる。この偏光ビームスプリッタ５４の＋Ｘ側には、前記１／４波長板５５が配置されている。
【００３８】
この１／４波長板５５は、入射した光束に１／４波長の光学的位相差を付与する。１／４波長板５５の＋Ｘ側には、前記対物レンズ６０が配置され、１／４波長板５５を介した光束を対象記録層に集光する。
【００３９】
前記検出レンズ５８は、偏光ビームスプリッタ５４の−Ｚ側に配置され、偏光ビームスプリッタ５４で−Ｚ方向に分岐した戻り光束を前記受光器５９の受光面に集光する。この受光器５９は、再生信号処理回路２８にてＲＦ信号、ウォブル信号及びサーボ信号などを検出するのに最適な信号（光電変換信号）を生成するための複数の受光素子（又は受光領域）を含んで構成されている。
【００４０】
前記駆動系ＡＣは、対物レンズ６０の光軸方向であるフォーカス方向に対物レンズ６０を微少駆動するためのフォーカシングアクチュエータ、及びトラッキング方向に対物レンズ６０を微少駆動するためのトラッキングアクチュエータを有している。ここでは、便宜上、対象記録層が記録層Ｌ0のときのフォーカス方向に関する対物レンズ６０の最適位置を「第１レンズ位置」といい、対象記録層が記録層Ｌ1のときのフォーカス方向に関する対物レンズ６０の最適位置を「第２レンズ位置」ということとする。
【００４１】
上記のように構成される光ピックアップ装置２３の作用を簡単に説明する。
【００４２】
光源ユニット５１から出射された直線偏光（ここではＰ偏光）の光束は、カップリングレンズ５２で略平行光となり、偏光ビームスプリッタ５４に入射する。この光束の大部分は偏光ビームスプリッタ５４をそのまま透過し、１／４波長板５５で円偏光とされ、対物レンズ６０を介して光ディスク１５の対象記録層に微小スポットとして集光される。光ディスク１５からの反射光は、往路とは反対回りの円偏光となり、戻り光束として対物レンズ６０で再び略平行光とされ、１／４波長板５５で往路と直交した直線偏光（ここではＳ偏光）とされる。そして、この戻り光束は偏光ビームスプリッタ５４に入射する。偏光ビームスプリッタ５４で−Ｚ方向に反射された戻り光束は、検出レンズ５８を介して受光器ＰＤで受光される。受光器ＰＤでは受光素子（又は受光領域）毎に光電変換され、各光電変換信号はそれぞれ再生信号処理回路２８に出力される。
【００４３】
図１に戻り、前記再生信号処理回路２８は、前記受光器ＰＤの出力信号（複数の光電変換信号）に基づいて、サーボ信号（フォーカスエラー信号やトラックエラー信号など）、アドレス情報、同期情報及びＲＦ信号などを取得する。ここで得られたサーボ信号は前記駆動制御回路２６に出力され、アドレス情報はＣＰＵ４０に出力され、同期信号はエンコーダ２５や駆動制御回路２６などに出力される。さらに、再生信号処理回路２８は、ＲＦ信号に対して復号処理及び誤り検出処理などを行い、誤りが検出されたときには誤り訂正処理を行った後、再生データとして前記バッファマネージャ３７を介して前記バッファＲＡＭ３４に格納する。また、再生データに含まれるアドレス情報はＣＰＵ４０に出力される。
【００４４】
前記駆動制御回路２６は、再生信号処理回路２８からのトラックエラー信号に基づいて、トラッキング方向に関する対物レンズ６０の位置ずれを補正するための前記トラッキングアクチュエータの駆動信号を生成する。また、駆動制御回路２６は、再生信号処理回路２８からのフォーカスエラー信号に基づいて、対物レンズ６０のフォーカスずれを補正するための前記フォーカシングアクチュエータＡＣの駆動信号を生成する。ここで生成された各アクチュエータの駆動信号は光ピックアップ装置２３に出力される。これにより、トラッキング制御及びフォーカス制御が行われる。さらに、駆動制御回路２６は、ＣＰＵ４０の指示に基づいて、シークモータ２１を駆動するための駆動信号、及びスピンドルモータ２２を駆動するための駆動信号を生成する。各モータの駆動信号は、それぞれシークモータ２１及びスピンドルモータ２２に出力される。
【００４５】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００４６】
前記エンコーダ２５は、ＣＰＵ４０の指示に基づいて、バッファＲＡＭ３４に蓄積されている記録用データをバッファマネージャ３７を介して取り出し、データの変調及びエラー訂正コードの付加などを行ない、光ディスク１５への書き込み信号を生成する。ここで生成された書き込み信号はレーザ制御回路２４に出力される。
【００４７】
前記レーザ制御回路２４は、前記半導体レーザＬＤの発光パワーを制御する。例えば記録の際には、前記書き込み信号、記録条件、及び半導体レーザＬＤの発光特性などに基づいて、半導体レーザＬＤの駆動信号がレーザ制御回路２４にて生成される。
【００４８】
前記インターフェース３８は、上位装置９０（例えば、パソコン）との双方向の通信インターフェースであり、ＡＴＡＰＩ（AT Attachment Packet Interface）、ＳＣＳＩ（Small Computer System Interface）及びＵＳＢ（Universal Serial Bus）などの標準インターフェースに準拠している。
【００４９】
前記フラッシュメモリ３９には、ＣＰＵ４０にて解読可能なコードで記述された本発明に係るプログラムを含む各種プログラム、記録パワーや記録ストラテジ情報を含む記録条件、及び半導体レーザＬＤの発光特性などが格納されている。
【００５０】
前記ＣＰＵ４０は、フラッシュメモリ３９に格納されている上記プログラムに従って前記各部の動作を制御するとともに、制御に必要なデータなどをＲＡＭ４１及びバッファＲＡＭ３４に保存する。
【００５１】
ところで、光ディスク１５には、一例として図４に示されるように、いわゆるオポジットトラックパス（Opposite track path、以下「ＯＴＰ」という）方式で情報が記録されるものとする。
【００５２】
そこで、記録層Ｌ0に、ディスクの内周側から外周側に向かって、リードイン領域、データ領域、中間領域が設けられ、記録層Ｌ1に、ディスクの外周側から内周側に向かって、中間領域、データ領域、リードアウト領域が設けられている。そして、記録層Ｌ0では、リードイン領域から中間領域へ向かって連続して増加する物理アドレスが割り振られ、記録層Ｌ1では、中間領域からリードアウト領域へ向かって、記録層Ｌ0の物理アドレスをビット反転したアドレスが割り振られている。すなわち、記録層Ｌ1では、中間領域からリードアウト領域に向かって物理アドレスが連続して増加している。この場合のトラックパスの方向は、記録層Ｌ0ではリードイン領域から中間領域に向かう方向であり、記録層Ｌ1では中間領域からリードアウト領域に向かう方向である。
【００５３】
また、リードイン領域には、一例として図５に示されるように、ディスク情報用の領域（以下「ディスク情報領域」という）が設けられている。このディスク情報領域には、一例として図６に示されるように、データ領域における部分領域毎の未記録状態／既記録状態を示すビットマップ情報などが記録される。ビットマップ情報が「１」に対応する部分領域は未記録状態であり、「０」に対応する部分領域は既記録状態である。なお、記録されているデータがユーザデータ及びダミーデータのいずれであっても、ビットマップ情報は「０」である。また、部分領域の大きさは、予め設定されている。
【００５４】
なお、追記型の片面２層ディスクには、一例として図７に示されるように、いわゆるパラレルトラックパス（Parallel track path、以下「ＰＴＰ」という）方式で情報が記録されるものがある。ＰＴＰ方式の片面２層ディスクでは、各記録層に、ディスクの内周側から外周側に向かって、リードイン領域、データ領域及びリードアウト領域に分割されたインフォメーション領域がそれぞれ設けられている。すなわち、ＰＴＰ方式の片面２層ディスクでは、記録層毎にインフォメーション領域を個別に有し、各記録層は互いに独立した記録層と捉えることができる。そして、各記録層では、リードイン領域からリードアウト領域へ向かって、連続して増加する物理アドレスがそれぞれ割り振られている。この場合のトラックパスの方向は、各記録層ともにリードイン領域からリードアウト領域に向かう方向である。
【００５５】
《記録処理》
次に、上位装置９０から記録要求があったときの、光ディスク装置２０における処理について図８〜図１０（Ｃ）を用いて説明する。図８のフローチャートは、ＣＰＵ４０によって実行される一連の処理アルゴリズムに対応している。上位装置９０から記録要求コマンドを受信すると、フラッシュメモリ３８に格納されている図８のフローチャートに対応するプログラムの先頭アドレスがＣＰＵ４０のプログラムカウンタにセットされ、記録処理がスタートする。
【００５６】
最初のステップ４０１では、所定の線速度（又は角速度）で光ディスク１５が回転するように駆動制御回路２６に指示するとともに、上位装置９０から記録要求コマンドを受信した旨を再生信号処理回路２８に通知する。また、後述するデータ退避の有無がセットされる退避フラグに、データ退避なしを意味する「０」をセットして初期化する。
【００５７】
次のステップ４０３では、記録要求コマンドから要求アドレス（Ａとする）を抽出し、その要求アドレスＡから、対象記録層が記録層Ｌ0であるか記録層Ｌ1であるかを特定する。
【００５８】
次のステップ４０５では、特定された対象記録層が記録層Ｌ1であるか否かを判断する。特定された対象記録層が記録層Ｌ1であれば、ここでの判断は肯定され、ステップ４０７に移行する。
【００５９】
このステップ４０７では、要求アドレスＡと同一半径位置に対応する記録層Ｌ0の領域（Ｂとする）を特定する。ここでは、要求アドレスＡの物理アドレスをビット反転したアドレスが領域Ｂの物理アドレスとなる。
【００６０】
次のステップ４０９では、光ディスク１５のディスク情報（ディスクＩＤ、ディスクの種類等）を参照し、光ディスク１５が、領域Ｂの状態（未記録状態／既記録状態）が要求アドレスＡにおける記録品質に影響を与えるディスクであるか否かを判断する。光ディスク１５が、領域Ｂの状態が要求アドレスＡにおける記録品質に影響を与えるディスクであれば、ここでの判断は肯定され、ステップ４１１に移行する。
【００６１】
このステップ４１１では、フラッシュメモリ３９に格納されている記録条件を参照し、光ディスク１５における領域Ｂの状態に関する条件を取得する。なお、フラッシュメモリ３９には、対物レンズ６０から遠いほうの記録層に記録する際の、対物レンズ６０に近いほうの記録層の状態（未記録状態／既記録状態）に関する条件が、ディスクの種類毎に、記録条件の一つとして格納されている。
【００６２】
次のステップ４１３では、リードイン領域のディスク情報領域を参照し、領域Ｂのビットマップ情報を取得する。
【００６３】
次のステップ４１５では、光ディスク１５における領域Ｂの状態に関する条件が「未記録状態」であるか否かを判断する。光ディスク１５における領域Ｂの状態に関する条件が「未記録状態」であれば、ここでの判断は肯定され、ステップ４１７に移行する。
【００６４】
このステップ４１７では、領域Ｂのビットマップ情報に基づいて、領域Ｂの状態が未記録状態であるか否かを判断する。一例として図９（Ａ）に示されるように、領域Ｂの状態が既記録状態であれば、ここでの判断は否定され、ステップ４１９に移行する。
【００６５】
このステップ４１９では、駆動制御装置２６を介して光ピックアップ装置２３を領域Ｂに対応する目標位置に駆動し、対象記録層を記録層Ｌ0とし、領域Ｂに記録されているデータを読出してＲＡＭ４１に退避データとして保存する。すなわち、領域Ｂの記録内容を退避させる。そして、前記退避フラグにデータ退避ありを意味する「１」をセットする。
【００６６】
次のステップ４２１では、領域Ｂに記録されているデータを消去し、図９（Ｂ）に示されるように、領域Ｂを未記録状態とする。具体的には、領域Ｂにイレーズパワーのレーザ光を照射する。そして、レイヤジャンプを行い、対象記録層を記録層Ｌ1とする。
【００６７】
次のステップ４２７では、エンコーダ２５、レーザ制御回路２４などを介して、図９（Ｃ）に示されるように、要求アドレスＡが示す領域に要求データ（ユーザデータ）を記録する。
【００６８】
次のステップ４２９では、退避フラグを参照し、データ退避があるか否かを判断する。ここでは、退避フラグにデータ退避ありを意味する「１」がセットされているので、ここでの判断は肯定され、ステップ４３１に移行する。
【００６９】
このステップ４３１では、ＲＡＭ４１に保存していた退避データを取り出し、レイヤジャンプを行って対象記録層を記録層Ｌ0とした後、図９（Ｄ）に示されるように、領域Ｂに再記録する。そして、退避フラグに「０」をセットする。
【００７０】
次のステップ４３３では、上位装置９０に記録完了を通知する。そして、記録処理を終了する。
【００７１】
なお、上記ステップ４２９において、データ退避がなければ、ここでの判断は否定され、上記ステップ４３３に移行する。
【００７２】
また、上記ステップ４１７において、領域Ｂの状態が未記録状態であれば、ここでの判断は肯定され、上記ステップ４２７に移行する。
【００７３】
一方、上記ステップ４１５において、光ディスク１５における領域Ｂの状態に関する条件が「既記録状態」であれば、ここでの判断は否定され、ステップ４２３に移行する。
【００７４】
このステップ４２３では、領域Ｂの状態が既記録状態であるか否かを判断する。領域Ｂの状態が既記録状態であれば、ここでの判断は肯定され、上記ステップ４２７に移行する。一方、一例として図１０（Ａ）に示されるように、領域Ｂの状態が未記録状態であれば、ここでの判断は否定され、ステップ４２５に移行する。
【００７５】
このステップ４２５では、駆動制御装置２６を介して光ピックアップ装置２３を領域Ｂに対応する目標位置に駆動し、対象記録層を記録層Ｌ0とし、エンコーダ２５、レーザ制御回路２４などを介して、図１０（Ｂ）に示されるように、領域Ｂにダミーデータを記録する。そして、レイヤジャンプを行い、対象記録層を記録層Ｌ1とし、上記ステップ４２７に移行する。この場合に、ステップ４２７でユーザデータが記録されたときの各記録層の記録状態が図１０（Ｃ）に示されている。
【００７６】
また、上記ステップ４０９において、光ディスク１５が、領域Ｂの状態が要求アドレスＡにおける記録品質に影響を与えるディスクでなければ、ここでの判断は否定され、上記ステップ４２７に移行する。
【００７７】
また、上記ステップ４０５において、特定された対象記録層が記録層Ｌ1でなければ、ここでの判断は否定され、上記ステップ４２７に移行する。
【００７８】
以上の説明から明らかなように、本実施形態に係る光ディスク装置２０では、ＣＰＵ４０及び該ＣＰＵ４０によって実行されるプログラムとによって、処理装置が構成されている。なお、ＣＰＵ４０によるプログラムに従う処理の少なくとも一部をハードウェアによって構成することとしても良いし、あるいは全てをハードウェアによって構成することとしても良い。
【００７９】
また、本実施形態では、記録媒体としてのフラッシュメモリ３９に記録されているプログラムのうち、図８のフローチャートに対応するプログラムによって、本発明に係るプログラムが実行されている。
【００８０】
そして、上記記録処理にて、本発明に係る記録方法が実施されている。
【００８１】
以上説明したように、本実施形態に係る光ディスク装置２０によると、片面２層ディスクに情報を記録するときに、対象記録層が、２つの記録層Ｌ0、Ｌ1のうち、光束の入射面から遠いほうの記録層である記録層Ｌ1であれば、ユーザデータの記録層Ｌ1への記録に先立って、記録層Ｌ0（前方記録層）が存在することに起因して記録品質が低下するか否かを判断している。そして、記録層Ｌ0が存在することに起因して記録品質が低下する場合に、記録層Ｌ1でユーザデータが記録される部分領域と同じ半径位置にある記録層Ｌ0の部分領域の記録状態を光ディスク１５の特性に応じた適切な記録状態としている。
【００８２】
例えば、光ディスク１５が、記録層Ｌ0の部分領域に未記録部が存在すると、記録層Ｌ1における記録品質が低下する特性を有する場合には、記録層Ｌ0の部分領域における未記録部にダミーデータを記録している。
【００８３】
反対に、光ディスク１５が、記録層Ｌ0の部分領域に既記録部が存在すると、記録層Ｌ1における記録品質が低下する特性を有する場合には、記録層Ｌ0の部分領域における既記録部に記録されているデータをＲＡＭ４１に退避させた後、該既記録部に記録されているデータを消去している。そして、ユーザデータの記録後に、退避させたデータを記録層Ｌ0の部分領域における前記消去された既記録部に再記録している。
【００８４】
これにより、光ディスク１５の特性に応じて、高品質の記録を安定して行うことができる。すなわち、書き換え可能な複数の記録層を有する光ディスクに対して、高品質の記録を安定して行うことが可能となる。
【００８５】
また、本実施形態によると、記録層Ｌ0の部分領域の記録状態を変更する際に、リードイン領域に記録されているビットマップ情報を参照しているため、記録処理を迅速に行うことができる。
【００８６】
なお、上記実施形態では、光ディスク１５にＯＴＰ方式で情報が記録される場合について説明したが、これに限らず、前記ＰＴＰ方式で情報が記録されても良い。
【００８７】
また、上記実施形態では、データ領域にユーザデータを記録するときに、記録層Ｌ0の記録状態を変更する場合について説明したが、本発明がこれに限定されるものではない。例えば、リードアウト領域に所定の情報を記録するときや、記録層Ｌ1の中間領域に所定の情報を記録するときに、記録層Ｌ0の記録状態を変更しても良い。この場合には、例えば前記ビットマップ情報を拡張し、リードイン領域の記録状態や記録層Ｌ0の中間領域の記録状態が含まれる新たなビットマップ情報を定義しても良い。
【００８８】
また、上記実施形態では、情報の記録及び再生が可能な光ディスク装置について説明したが、これに限らず、情報の記録、再生及び消去のうち、少なくとも情報の記録が可能な光ディスク装置であれば良い。また、光ディスクがＤＶＤのときには、光ディスク装置として、上記記録処理が可能なＤＶＤレコーダであっても良い。
【００８９】
また、上記実施形態では、光ディスクが２つの記録層を有する場合について説明したが、これに限らず、３つ以上の記録層を有していてもよい。
【００９０】
この場合に、前記対象記録層よりも入射面側に複数の記録層が存在するときには、入射面に近い記録層から順に記録状態を変更するのが好ましい。
【００９１】
また、上記実施形態では、本発明に係るプログラムは、フラッシュメモリ３９に記録されているが、他の記録媒体（ＣＤ、光磁気ディスク、ＤＶＤ、メモリカード、ＵＳＢメモリ、フレキシブルディスク等）に記録されていても良い。この場合には、各記録媒体に対応する再生装置（又は専用インターフェース）を介して本発明に係るプログラムをフラッシュメモリ３９にロードすることとなる。また、ネットワーク（ＬＡＮ、イントラネット、インターネットなど）を介して本発明に係るプログラムをフラッシュメモリ３９に転送しても良い。要するに、本発明に係るプログラムがフラッシュメモリ３９にロードされれば良い。
【００９２】
また、上記実施形態では、光ピックアップ装置が１つの半導体レーザを備える場合について説明したが、これに限らず、例えば互いに異なる波長の光束を発光する複数の半導体レーザを備えていても良い。この場合に、例えば波長が約４０５ｎｍの光束を発光する半導体レーザ、波長が約６６０ｎｍの光束を発光する半導体レーザ及び波長が約７８０ｎｍの光束を発光する半導体レーザの少なくとも１つを含んでいても良い。すなわち、光ディスク装置が互いに異なる規格に準拠した複数種類の光ディスクに対応する光ディスク装置であっても良い。この場合に、少なくともいずれかの光ディスクが複数の記録層を有する光ディスクであっても良い。
【産業上の利用可能性】
【００９３】
以上説明したように、本発明の記録方法によれば、書き換え可能な複数の記録層を有する光ディスクに対して、高品質の記録を安定して行うのに適している。また、本発明の光ディスク装置によれば、書き換え可能な複数の記録層を有する光ディスクに対して、高品質の記録を安定して行うのに適している。また、本発明のプログラム及び記憶媒体によれば、光ディスク装置に、書き換え可能な複数の記録層を有する光ディスクに対して、高品質で安定した記録をさせるのに適している。
【図面の簡単な説明】
【００９４】
【図１】本発明の一実施形態に係る光ディスク装置の構成を示すブロック図である。
【図２】図１における光ディスクの構造を説明するための図である。
【図３】図１における光ピックアップ装置を説明するための図である。
【図４】ＯＴＰ方式を説明するための図である。
【図５】ディスク情報領域を説明するための図である。
【図６】ビットマップ情報を説明するための図である。
【図７】ＰＴＰ方式を説明するための図である。
【図８】上位装置から記録要求を受信したときの光ディスク装置での処理を説明するためのフローチャートである。
【図９】図９（Ａ）〜図９（Ｄ）は、それぞれ図８の記録処理を説明するための図（その１）である。
【図１０】図１０（Ａ）〜図１０（Ｃ）は、それぞれ図８の記録処理を説明するための図（その２）である。
【符号の説明】
【００９５】
１５…光ディスク、２０…光ディスク装置、２３…光ピックアップ装置、２４…レーザ制御回路（信号生成回路）、３９…フラッシュメモリ（記録媒体）、４０…ＣＰＵ（処理装置）、６０…対物レンズ、ＡＣ…駆動系、ＬＤ…光源。
【図１】
2006313591.tif 000003
【図２】
2006313591.tif 000004
【図３】
2006313591.tif 000005
【図４】
2006313591.tif 000006
【図５】
2006313591.tif 000007
【図６】
2006313591.tif 000008
【図７】
2006313591.tif 000009
【図８】
2006313591.tif 000010
【図９】
2006313591.tif 000011
【図１０】
2006313591.tif 000012